(57)【特許請求の範囲】
【請求項１】
保護フィルムにより外面全体が被覆されたパイプであって、
前記保護フィルムは、短冊状であって、短手方向及び長手方向がそれぞれ前記パイプの周方向及び長手方向に沿うようにして、当該パイプに剥離可能にして貼着される１枚又は複数枚で構成され、
前記保護フィルムは、パイプの周方向に配置された短手方向の一方の端部が、自身の他方の端部、又は他の保護フィルムの短手方向の端部と重合した状態で、パイプの外面全体を被覆しており、
１又は複数の保護フィルムで被覆されたパイプの外面色が視認可能となるように、当該保護フィルムには、パイプの周方向における一部又は全部に無色透明の視認部が長手方向に沿って設けられていることを特徴とするパイプ。
【請求項２】
前記保護フィルムは、切断位置、呼径、使用場所等の種々の情報を表示可能であり、当該保護フィルムの引き剥し後においては、パイプ外面の一切の前記表示情報は消去されることを特徴とする請求項１に記載のパイプ。
【請求項３】
前記保護フィルムは、有色部と、パイプの周方向の一部に設けられた前記視認部を構成する無色部とを備え、前記有色部の色彩は、前記パイプの地色以外の色彩から成ることを特徴とする請求項１又は２に記載のパイプ。
【請求項４】
請求項１ないし３のいずれかに記載の保護フィルムにより外面全体が被覆された複数種類のパイプから成るパイプ装置であって、
前記複数種類のパイプは、呼径の異なることで、内径の異なる複数種類であって、
前記保護フィルムは、周方向の一部に有色部が設けられ、異なる呼径のパイプには、有色部の色彩を異ならしめたことを特徴とするパイプ装置。
【発明の詳細な説明】
【技術分野】
【０００１】
本発明は、電線管、エアコン冷媒管等のような配線・配管材として使用されるパイプ、及びパイプ装置に関するものである。
【背景技術】
【０００２】
電線布設工事、エアコン設置工事等の配線・配管材を使用する各種工事の施主は、施工直後においては、１本のパイプであっても、外面が無傷の新品のままを望むのが当然であり、設置当初から外面に傷の付いたパイプの存在は、施主の意向に背く結果となる。
【０００３】
上記したパイプは、多数本が纏められて箱に収容された状態で、保管・運搬されて、工事現場において、箱内の多数本のパイプをバラして、１本ずつ使用している。
【０００４】
従来のパイプは、外面が保護されることなく、露出したままで取り扱われていた。従って、箱内に多数本のパイプを収容する際、或いは収容された状態において、隣接するパイプ同士が互いに接触、或いは衝突し合うことにより、外面に擦り傷や汚れが生ずる。また、施工時においても、パイプを１本ずつ取り扱う際に、周辺部材に接触することによっても、外面に同様の擦り傷類が発生する。
【０００５】
特許文献１には、多数本の長尺の雨樋をバンドにより結束した状態で、両端面部を覆う第１保護部材と、全体の外周面を覆う第２保護部材とから成る梱包材が開示されている。しかし、この梱包材を使用する場合でも、多数本の雨樋をバンドにより結束すると、結束時、及び運搬時の双方において、接触している雨樋同士は、互いに擦られて、表面塗装が剥離されたりして、表面に傷が付いてしまう。また、雨樋には、種々の長さが存在するため、長さの異なる雨樋の梱包には、第１保護部材の共用は可能であるとしても、第２保護部材に関しては、共用できないため、雨樋の長さに対応したものをそれぞれ製作する必要があって、梱包材自体の管理も面倒である。
【先行技術文献】
【特許文献】
【０００６】
【特許文献１】特開２００６−１９９３６０号公報
【発明の概要】
【発明が解決しようとする課題】
【０００７】
本発明は、工事現場に設置されるまでは、外面に擦り傷類が一切発生しないように保護され、しかも地色を視認可能なパイプ、及びパイプ装置の提供を課題としている。
【課題を解決するための手段】
【０００８】
上記の課題を解決するための請求項１の発明は、保護フィルムにより外面全体が被覆されたパイプであって、前記保護フィルムは、短冊状であって、短手方向及び長手方向がそれぞれ前記パイプの周方向及び長手方向に沿うようにして、当該パイプに剥離可能にして貼着される１枚又は複数枚で構成され、前記保護フィルムは、パイプの周方向に配置された短手方向の一方の端部が、自身の他方の端部、又は他の保護フィルムの短手方向の端部と重合した状態で、パイプの外面全体を被覆しており、１又は複数の保護フィルムで被覆されたパイプの外面色が視認可能となるように、当該保護フィルムには、パイプの周方向における一部又は全部に無色透明の視認部が長手方向に沿って設けられていることを特徴としている。
【０００９】
請求項１の発明によれば、パイプは、その外面全体が１又は複数枚の保護フィルムにより被覆されていて、施工時に前記保護フィルムを剥がすことにより、パイプの保管・運搬時、及び取扱い時において、パイプ同士が接触したり、或いはパイプが他の部材に接触しても、パイプの外面に擦り傷類が発生するのを確実に防止できる。また、パイプの外面を被覆する保護フィルムが１枚又は複数枚のいずれの場合でも、パイプの周方向に配置される保護フィルムの短手方向の端部が、自身の他方の端部、又は別の保護フィルムの端部と重合した状態で、パイプに被覆されているため、重合部において外側に配置された保護フィルムの端部を容易に剥がすことができて、保護フィルムの剥し作業が容易となる。更に、保護フィルムには、パイプの地色が視認可能となるように無色透明の視認部が、周方向の一部又は全部において長手方向に設けられているために、パイプが保護フィルムで被覆された状態において、当該視認部においてパイプの地色を視認できて、地色のみ異なる同一又は近似の呼径のパイプの誤配管を未然に防止できる。
【００１０】
請求項２の発明は、請求項１の発明において、前記保護フィルムは、切断位置、呼径、使用場所等の種々の情報を表示可能であり、当該保護フィルムの引き剥し後においては、パイプ外面の一切の前記表示情報は消去されることを特徴としている。
【００１１】
請求項２の発明によれば、パイプの全面に被覆された保護フィルムに、切断位置、呼径、使用場所等の種々の情報が表示可能であるために、施工前におけるパイプの取り扱いを誤りなく行え、施工時においては、当該保護フィルムの引き剥しにより、パイプ外面の一切の前記表示情報は消去される。
【００１２】
請求項３の発明は、請求項１又は２の発明において、前記保護フィルムは、有色部と、パイプの周方向の一部に設けられた前記視認部を構成する無色部とを備え、前記有色部の色彩は、前記パイプの地色以外の色彩から成ることを特徴としている。
【００１３】
請求項３の発明によれば、保護フィルムの有色部を、パイプの地色と異なる色彩とすることで、有色部を有する保護フィルムの存在を誤りなく認識できる。
【００１４】
請求項４の発明は、請求項１ないし３のいずれかに記載の保護フィルムにより外面全体が被覆された複数種類のパイプから成るパイプ装置であって、前記複数種類のパイプは、呼径の異なることで、内径の異なる複数種類であって、前記保護フィルムは、周方向の一部に有色部が設けられ、異なる呼径のパイプには、有色部の色彩を異ならしめたことを特徴としている。
【００１５】
請求項４の発明によれば、保護フィルムの有色部の色彩の種類によって、当該保護フィルムが全体に被覆されたパイプの呼径を認識できる。
【発明の効果】
【００１６】
請求項１の発明によれば、施工現場において設置されるまでは、パイプの外面全体が保護フィルムで被覆されていて、当該パイプの外面全体が保護されるために、運搬・保管時、或いは取扱い時において、パイプ同士が接触しても外面に擦り傷類が付くことが一切なく、設置当初において、常に外面が無傷の新品のままのパイプを設置できる。また、パイプの周方向に配置された保護フィルムの短手方向の一方の端部が、自身の他方の端部、又は他の保護フィルムの短手方向の端部と重合した状態で、パイプの外面全体が被覆されているので、保護フィルムの重合部において、上側の保護フィルムの端部を容易に引き剥がすことができて、パイプの外面全体に被覆された保護フィルムを容易に、かつ確実に剥がすことができる。更に、保護フィルムには、短手方向の一部又は全部に長手方向に沿って無色透明の視認部が設けられているため、当該視認部によりパイプの地色が視認可能になって、地色の異なる同一又は近似の呼径のパイプの誤配管を未然に防止できる。
【００１７】
請求項４の発明によれば、保護フィルムの有色部の色彩の種類によって、当該保護フィルムが全体に被覆されたパイプの呼径を認識できる。
【図面の簡単な説明】
【００１８】
【図１】（ａ），（ｂ）は、それぞれ保護フィルムＦ1 ，Ｆ2 を貼着する前後のパイプＰ1 の斜視図である。
【図２】（ａ），（ｂ）は、パイプＰ1 の外面全体に貼着された保護フィルムＦ1 ，Ｆ2 を剥がす前後におけるパイプＰ1 の端部の部分斜視図である。
【図３】（ａ），（ｂ）は、１枚でパイプＰ3 の周方向の全体を被覆可能な保護フィルムＦ3 の展開図、及び当該保護フィルムＦ3 で外面全体が被覆されたパイプＰ3 の斜視図である。
【図４】（ａ），（ｂ）は、それぞれパイプＰ1 と同Ｐ3 の各重合部Ｒ1 ，Ｒ3 を対比させるための平面図である。
【図５】（ａ），（ｂ），（ｃ）は、それぞれ外面全体が２枚、３枚及び１枚の保護フィルムで被覆された各パイプＰ1,Ｐ2,Ｐ3 の断面図である。
【図６】（ａ）は、保護フィルムＦ4 の展開図であり、（ｂ），（ｃ）は、当該保護フィルムＦ4 で外面全体が被覆されたパイプＰ4 における保護フィルムＦ4 の重合部を正面にした状態の図、及びその背面図である。
【図７】切断長の定めとなる各目盛り３１，３２が印刷された有色フィルムＦ2 及び別の無色フィルムＦ1 により外面全体が被覆されたパイプＰ5 の斜視図である。
【図８】１本のパイプＰ1 を切断した場合において、切断して残った側も保護フィルムＦ1 ，Ｆ2 により外面全体が被覆されていることを示す斜視図である。
【図９】多数本のパイプＰ1 が結束バンドＢにより結束された状態の斜視図である。
【発明を実施するための形態】
【００１９】
以下、最良の実施形態を複数挙げて本発明について更に詳細に説明する。
【実施例１】
【００２０】
図１、図２及び図５（ａ）に、実施例１のパイプＰ1 が示されている。パイプＰ1 は、塩化ビニール樹脂等から成る断面円形の樹脂管であって、電線を収容する電線管、エアコンの冷媒を通すエアコン冷媒管、エアコンの排水管等として使用され、電線の太さ、或いはエアコンの容量に応じて呼径（外径）の異なるものが使用される。また、パイプは、呼径の異なるものが選択して使用されるが、全ての呼径のパイプの外周の色、即ち「地色」は統一色が使用される。パイプの「地色」としては、ベージュ、ミルキーホワイト等が多く使用される。
【００２１】
パイプＰ1 は、無色透明の無色フィルムＦ1 と有色フィルムＦ2 との２種類の保護フィルムにより外面全体が被覆される。無色及び有色の各保護フィルムＦ1 ，Ｆ2 は、樹脂フィルムで構成されて、短冊状或いは帯状を呈していて、パイプＰ1 の外径をＤ1 〔図５（ａ）参照〕とした場合に、各保護フィルムＦ1 ，Ｆ2 の短手方向の長さＬ1 〔図１（ａ）参照〕は、いずれも〔Ｌ1 ＝（πＤ1 / ２）＋α〕となっていて、パイプＰ1 の周長の半分よりも僅かに長くなっている。各保護フィルムＦ1 ，Ｆ2 の長手方向の長さは、パイプＰ1 の長さと同一であるか、或いはパイプＰ1 の長さよりも短くなっている。パイプＰ1 の外面全体を２枚の各保護フィルムＦ1 ，Ｆ2 で被覆した場合において、当該パイプＰ1 の対向位置に形成される重合部Ｒ1 の重合幅Ｗ1 が等しい場合には、〔α＝Ｗ1 〕となる〔図５（ａ）参照〕。各保護フィルムＦ1 ，Ｆ2 の長手方向の長さがパイプＰ1 の長さよりも短い場合には、パイプＰ1 の長手方向（軸方向）に沿って複数枚の各保護フィルムＦ1 ，Ｆ2 が長手方向の途中で接続して使用される。各保護フィルムＦ1 ，Ｆ2 は、その一方の面のみに、全面に亘って貼着剤が塗布されている。有色フィルムＦ2 の色彩は、パイプＰ1 の地色以外の色彩が選択され、パイプＰ1 の地色がベージュの場合には、例えば、水色、橙色等が選択される。
【００２２】
このため、図２及び図５（ａ）に示されるように、パイプＰ1 の外面全体を有色及び無色の各保護フィルムＦ1 ，Ｆ2 で被覆するに際して、無色フィルムＦ1 の短手方向の両端部の外側に、有色フィルムＦ2 の短手方向の両端部が配置されるようにする。パイプＰ1 の外径Ｄ1 に対する各保護フィルムＦ1 ，Ｆ2 の短手方向の長さＬ1 が上記した関係になっているので、パイプＰ1 の対向する２箇所において各保護フィルムＦ1 ，Ｆ2 の短手方向の両端部が互いに重合された重合部Ｒ1 を形成した状態で、パイプＰ1 の外面全体を各保護フィルムＦ1 ，Ｆ2 で被覆する。
【００２３】
これにより、図１及び図２に示されるように、無色フィルムＦ1 の全部分は、パイプＰ1 の地色を透視して視認可能とする視認部２となっている。無色フィルムＦ1 と有色フィルムＦ2 との境界線３が、当該パイプＰ1 の長手方向（軸方向）に沿って連続して存在し、しかも当該境界線３は、視認可能である。また、各保護フィルムＦ1 ，Ｆ2 の短手方向の両端部の重合部Ｒ1 においては、有色フィルムＦ2 が無色フィルムＦ1 の外側に配置されている。
【００２４】
このため、有色と無色の境界である前記境界線３は容易に視認でき、当該視認に基づいて、前記重合部Ｒ1 の部分において、外側の有色フィルムＦ2 の短手方向の端部を所定域だけ引き剥がして、引き剥し部４を形成した状態で、内側の無色フィルムＦ1 の短手方向の端部を仮に引き剥がして、仮引き剥し部５を形成しておいて、有色フィルムＦ2 の全てを引き剥がした後に、無色フィルムＦ1 の前記仮引き剥し部５によって、無色フィルムＦ1 の全てを引き剥がす。これにより、有色フィルムＦ2 の全てを引き剥がした後に、無色フィルムＦ1 の短手方向の端部を探し出す困難を解消できる。なお、図１（ｂ）及び図２において６は、無色フィルムＦ1 の端縁ラインを示す。
【００２５】
このように、パイプＰ1 は、その外面全体が無色及び有色の２枚の各保護フィルムＦ1 ，Ｆ2 により被覆されているので、例えば、図９に示されるように、多数本のパイプＰ1 を結束バンドＢにより結束した状態で保管・運搬する場合において、相隣接するパイプＰ1 同士が互いに接触しても、各保護フィルムＦ1 ，Ｆ2 の存在により、パイプＰ1 の外面に擦り傷類が付けられることはない。よって、パイプＰ1 の設置時において、上記した各保護フィルムＦ1 ，Ｆ2 の引き剥がしを行うことにより、外面に擦り傷類が一切付いていない新品のパイプＰ1 を現場に設置することができる。
【００２６】
なお、実施例１のパイプＰ1 の外面全体を被覆している無色及び有色の２枚の各保護フィルムＦ1 ，Ｆ2 の短手方向の長さは等しいが、無色フィルムＦ1 と有色フィルムＦ2 の短手方向の各長さの比を、（２：１）或いは（３：１）等として、各保護フィルムＦ1 ，Ｆ2 の短手方向の端部の引き剥し部の存在を視覚により認識させて、引き剥しを容易にさせるための有色フィルムＦ2 の短手方向の長さを無色フィルムＦ1 のそれよりも短くすることも可能であって、無色及び有色の各保護フィルムＦ1 ，Ｆ2 の短手方向の各長さの比は、直接的には問題とならない。
【実施例２】
【００２７】
図５（ｂ）に、実施例２のパイプＰ2 の断面図が示されている。前記パイプＰ1 は、その外面全体に、有色及び無色の２枚の各保護フィルムＦ1 ，Ｆ2 が被覆されたものであるが、実施例２のパイプＰ2 は、その外面全体に、２枚の無色フィルムＦ1'と１枚の有色フィルムＦ2'が被覆された構成である。３枚の各保護フィルムＦ1'，Ｆ2'の短手方向の両端部は互いに重合されて、当該各保護フィルムＦ1'，Ｆ2'の引き剥がしを容易にするための重合部Ｒ2 が形成されている。有色フィルムＦ2'の短手方向の両端部は、異なる２枚の無色フィルムＦ1'の短手方向の一端部の外側に配置されて重合され、各保護フィルムＦ1'，Ｆ2'の短手方向の両端部の重合部Ｒ2 を見付け出した後の引き剥がしを容易にしている。実施例２のパイプＰ2 においても、２枚の無色フィルムＦ1'の全部分が、当該パイプＰ2 の地色を視認可能とする視認部２となっており、有色フィルムＦ2'の短手方向の両端部は、重合部Ｒ2 を見付け易くしている。実施例２のパイプＰ2 においても、３枚の各保護フィルムＦ1'，Ｆ2'の短手方向の各長さは等しいが、互いに異ならしめることも可能である。
【実施例３】
【００２８】
図３、図４及び図５（ｃ）に、実施例３のパイプＰ3 が示されている。パイプＰ3 は、短冊状（長尺状）の１枚の保護フィルムＦ3 により外面全体が被覆されている。パイプＰ3 の外径をＤ3 とした場合に、保護フィルムＦ3 の短手方向の長さＬ3 は、〔Ｌ3 ＝πＤ3 ＋Ｗ3 〕となっている。保護フィルムＦ3 は、その短手方向の端部に部分的に幅Ｗ3'の有色部７が長手方向に連続して形成されて、残りの大部分は、保護フィルムＦ3 で全体が被覆されたパイプＰ3 の地色の視認を可能とする無色透明の視認部８となっていて、保護フィルムＦ3 の視認部８の側の短手方向の端部の外側に、別の端部である有色部７が重合された状態で、パイプＰ3 の外面全体が保護フィルムＦ3 により被覆される。実施例３では、有色部７の幅Ｗ3'は、保護フィルムＦ3 の短手方向の両端部の重合部Ｒ3 の幅Ｗ3 よりも広い〔Ｗ3'＞Ｗ3 〕ために、当該重合部Ｒ3 の内側に、保護フィルムＦ3 の有色部７と反対側の視認部８の短手方向の端部の端縁ライン１１が隠れた状態で存在する構成となっている。
【００２９】
実施例３のパイプＰ3 においても、保護フィルムＦ3 の重合部Ｒ3 においては、有色部７が無色透明の視認部８の外側に配置されているために、当該有色部７の存在によって、保護フィルムＦ3 の重合部Ｒ3 の位置を即座に見付け出すことができると共に、当該重合部Ｒ3 において、外側の有色部７の部分を引き剥がすことにより、当該引き剥し作業が容易となる。また、保護フィルムＦ3 は、全体が１枚で構成されているために、保護フィルムＦ3 の引き剥し位置の見付け出しが１回で済むために、保護フィルムＦ3 の引き剥し作業自体も容易となる。なお、図３（ｂ）において、１２は、保護フィルムＦ3 の引き剥し部を示す。
【００３０】
また、実施例３のパイプＰ3 では、有色部７の幅Ｗ3'は、保護フィルムＦ3 の短手方向の両端部の重合部Ｒ3 の幅Ｗ3 よりも広い〔Ｗ3'＞Ｗ3 〕ために、当該重合部Ｒ3 の内側に、保護フィルムＦ3 の有色部７と反対側の視認部８の短手方向の端部の端縁ライン１１が認識されるが、図４において、実施例１のパイプＰ1 と対比して図示されているように、〔Ｗ3'＝Ｗ3 〕とすることにより、有色部７の幅方向の内側の端縁ラインと、視認部８の端縁ライン１１とが重合して、当該視認部８の端縁ライン１１が恰も消失した状態となって、有色部７の存在が一層に際立って、保護フィルムＦ3 の引き剥し部１２’の探し出しが一層容易となる効果がある。
【００３１】
また、上記においては、保護フィルムＦ3 の有色部７の幅Ｗ3'を、保護フィルムＦ3 によりパイプＰ3 の外面全体を被覆した場合に発生する当該保護フィルムＦ3 の重合部Ｒ3 の幅（Ｗ3)に対応するように、全体幅に比較して相当に狭くしてある。しかし、保護フィルムＦ3 の有色部７と視認部８の各幅を同等にする等しても、パイプＰ3 の地色の視認と、保護フィルムＦ3 の引き剥し部１２の探し出しとの双方を可能にできる。
【実施例４】
【００３２】
図６に、実施例４のパイプＰ4 が示されている。パイプＰ4 の外面全体を被覆可能な保護フィルムＦ4 は、短冊状（長尺状）であって、短手方向の中央部に長手方向に沿って一定間隔をおいて多数の無色透明の視認部２１が形成されて、残りの大部分を占有する全てが有色透明の有色部２２となっている。従って、保護フィルムＦ4 の短手方向の両端部は、長手方向の全長に亘って有色部２２で構成される。保護フィルムＦ4 の短手方向の長さＬ4 は、パイプＰ4 の外径をＤ4 とした場合に、〔Ｌ4 ＝πＤ4 ＋Ｗ4 〕となっていて、保護フィルムＦ4 をパイプＰ4 の外面全体に被覆した場合において、当該保護フィルムＦ4 の短手方向の両端部の重合部Ｒ4 の幅はＷ4 となる。
【００３３】
実施例４のパイプＰ4 では、保護フィルムＦ4 の重合部Ｒ4 は、有色透明の有色部２２同士が重合しているために、当該有色部２２の重合により、重合部Ｒ4 の色彩は、有色部２２の本来の色彩よりも濃く認識されるために、当該重合部Ｒ4 を視覚的に認識できて、重合部Ｒ4 の引き剥し部２３を見付け出すことができる。
【実施例５】
【００３４】
図７に、実施例５のパイプＰ5 が示されている。パイプＰ5 は、実施例１のパイプＰ1 の有色フィルムＦ2 の部分に、大小の各目盛り３１，３２を軸方向に沿って一定間隔をおいて周方向に予め印刷された構成である。各目盛り３１，３２の存在は、パイプＰ5 を設定長に正確に切断するのを助ける。なお、パイプＰ5 において、無色フィルムＦ1 の側に大小の各目盛り３１，３２を印刷することも可能であり、更に、全周に各目盛り３１，３２を印刷することも可能である。また、前記した他のパイプＰ2 〜Ｐ4 においても、保護フィルムＦ1', Ｆ2', Ｆ3,Ｆ4 の部分に目盛りを印刷することも可能である。
【００３５】
また、図８に示されるように、いずれのパイプＰ1 〜Ｐ5 であっても、１本のパイプＰ1 〜Ｐ5 を所定長に切断した場合において、残りの側（切断時点で使用されない側）のパイプＰ1'〜Ｐ5'も、当然のことながら、保護フィルムで保護されたまま残る。
【００３６】
上記各実施例１〜５において、実施例４の有色部２２は、有色透明であることが必要であるが、残りの実施例１〜３，５における有色フィルムＦ2,Ｆ2'、有色部７は、有色透明又は有色不透明のいずれであってもよい。
【００３７】
また、パイプの外面全体を被覆している保護フィルムには、専用のインクペンにより切断位置、呼径、使用場所等の種々の情報を表示可能であり、しかも、保護フィルムの引き剥し後においては、パイプの外面には、一切の表示情報は消失されて、当該パイプは、擦り傷類の一切存在しない新品状態が実現される。
【００３８】
また、有色部を備えたフィルムによりパイプを被覆する場合において、パイプの外面に対するフィルムの被覆構造（例えば、無色フィルムと有色フィルムの２枚のフィルムで全体が被覆された構造）を同一にして、異なる呼径のパイプに対しては、有色部の色彩を異ならしめることで、色彩的に呼径を識別させることも可能である。
【符号の説明】
【００３９】
Ｄ1,Ｄ3,Ｄ4 ：パイプの外径
Ｆ1,Ｆ1'：無色フィルム( 保護フィルム) 
Ｆ2,Ｆ2'：有色フィルム( 保護フィルム) 
Ｆ3,Ｆ4 ：保護フィルム
Ｌ1,Ｌ3,Ｌ4 ：保護フィルムの短手方向の長さ
Ｐ1 〜Ｐ5 ：パイプ
Ｒ1 〜Ｒ4 ：保護フィルムの重合部
Ｗ1 〜Ｗ4 ：保護フィルムの重合部の幅
２，８，２１：視認部
４，１２，１２',２３：保護フィルムの引き剥し部
５：保護フィルムの仮引き剥し部
７，２２：有色部
【図１】
0006022637.tif 000002
【図２】
0006022637.tif 000003
【図３】
0006022637.tif 000004
【図４】
0006022637.tif 000005
【図５】
0006022637.tif 000006
【図６】
0006022637.tif 000007
【図７】
0006022637.tif 000008
【図８】
0006022637.tif 000009
【図９】
0006022637.tif 000010